(57)【要約】      （修正有）【課題】光学ファインダーの視野範囲と画像の撮影範囲を一致させる。【解決手段】制御装置１０３は、画像ファイルのヘッダ部に記録されている機種情報に基づいて、撮影を行ったカメラの光学ファインダーの視野率を特定することにより、光学ファインダーの視野に関する情報を取得し、取得した情報に基づいて、画像内から光学ファインダーの視野に相当する範囲内の画像を切り出す。この方法には２通りがあり、１つは４点を内包する最小長方形とする方法であり、他の１つは傾き補正してから最小長方形とする方法がある。【選択図】図１
2010183245.tif 000002
【特許請求の範囲】
【請求項１】
光学ファインダーの視野に関する情報を取得する取得手段と、
前記取得手段が取得した前記光学ファインダーの視野に関する情報に基づいて、画像内から光学ファインダーの視野に相当する範囲内の画像を切り出す切り出し手段とを備えることを特徴とする画像処理装置。
【請求項２】
請求項１に記載の画像処理装置において、
前記光学ファインダーの視野に関する情報は、画像ファイルに記録されており、
前記取得手段は、画像ファイルに記録されている前記光学ファインダーの視野に関する情報を取得することを特徴とする画像処理装置。
【請求項３】
請求項１または２に記載の画像処理装置において、
前記光学ファインダーの視野に相当する範囲を微調整する微調整手段と、
前記微調整手段が微調整した後の前記光学ファインダーの視野に相当する範囲に関する情報を記録する情報記録手段とを備え、
前記取得手段は、前記情報記録手段によって記録された前記光学ファインダーの視野に関する情報を取得することを特徴とする画像処理装置。
【請求項４】
請求項３に記載の画像処理装置において、
前記情報記録手段によって記録された前記光学ファインダーの視野に相当する範囲に関する情報を前記光学ファインダーを備えるカメラへ送信する送信手段をさらに備えることを特徴とする画像処理装置。
【請求項５】
請求項１〜４のいずれか一項に記載の画像処理装置において、
画像の傾きを補正する補正手段をさらに備え、
前記切り出し手段は、前記補正手段によって補正が行われた画像に対しては、切り出しを停止することを特徴とする画像処理装置。
【請求項６】
請求項１〜５のいずれか一項に記載の画像処理装置において、
前記切り出し手段は、使用者によって画像の表示が指示された場合に画像の切り出しを行い、切り出し後の画像を画面上に表示することを特徴とする画像処理装置。
【請求項７】
コンピュータに、
光学ファインダーの視野に関する情報を取得する取得手順と、
前記取得手順で取得した前記光学ファインダーの視野に関する情報に基づいて、画像内から光学ファインダーの視野に相当する範囲内の画像を切り出す切り出し手順とを実行させるための画像処理プログラム。
【請求項８】
光学ファインダーの視野に関する情報を取得する取得手段と、
前記取得手段で取得した前記光学ファインダーの視野に関する情報に基づいて、画像内から光学ファインダーの視野に相当する範囲内の画像を切り出す切り出し手段とを備えることを特徴とするカメラ。
【請求項９】
請求項８に記載のカメラにおいて、
前記切り出し手段は、使用者によって画像の表示が指示された場合に画像の切り出しを行い、切り出し後の画像を画面上に表示することを特徴とするカメラ。
【請求項１０】
請求項８または９に記載のカメラにおいて、
前記切り出し手段によって切り出された画像を記録する画像記録手段をさらに備えることを特徴とするカメラ。
【請求項１１】
請求項８〜１０のいずれか一項に記載のカメラにおいて、
請求項４に記載の画像処理装置から前記光学ファインダーの視野に相当する範囲に関する情報を受信する受信手段と、
撮影時に前記受信手段から受信した情報を記録した画像ファイルを生成する画像ファイル生成手段とをさらに備えることを特徴とするカメラ。
【発明の詳細な説明】
【技術分野】
【０００１】
本発明は、画像処理装置、画像処理プログラム、およびカメラに関する。
【背景技術】
【０００２】
次のようなカメラの表示光投射光学系が知られている。この表示光投射光学系は、撮影範囲の一部を切り取って撮影を行う際に、画面の切り取り範囲をファインダー内に表示する（例えば、特許文献１）。
また、ファインダー視野情報に基づいて撮像画像を補正する方法が知られている（例えば、特許文献２）。
【先行技術文献】
【特許文献】
【０００３】
【特許文献１】特開２００８−８４７３７号公報
【特許文献２】特開２００７−１０４２４６号公報
【発明の概要】
【発明が解決しようとする課題】
【０００４】
光学ファインダーを備えたデジタルカメラが市販されているが、一部の上級機種を除いては、組み立て調整が困難なため光学ファインダーの視野と撮像素子の撮像範囲が一致していない。このため、使用者が光学ファインダーを見ながら厳密に構図を決めて撮影を行った場合でも、撮影によって得られた画像の撮影範囲が使用者の意図したものとは異なる可能性がある。
特許文献１に記載の表示光投射光学系によれば、使用者は、ファインダー内の表示を見ながら撮影範囲と画像の切り取り範囲とを一致させることはできるが、光学ファインダーの視野と撮影範囲が一致した画像を得ることはできなかった。
また、特許文献２に記載の方法では、校正用画像をファインダーに合わせて撮影するのが困難であった。
【課題を解決するための手段】
【０００５】
本発明による画像処理装置、画像処理プログラム、およびカメラは、光学ファインダーの視野に関する情報を取得し、取得した光学ファインダーの視野に関する情報に基づいて、画像内から光学ファインダーの視野に相当する範囲内の画像を切り出すことを特徴とする。
本発明による画像処理装置は、光学ファインダーの視野に関する情報は、画像ファイルに記録されており、画像ファイルに記録されている光学ファインダーの視野に関する情報を取得するようにしてもよい。
画像処理装置は、光学ファインダーの視野に相当する範囲を微調整し、微調整した後の光学ファインダーの視野に相当する範囲に関する情報を記録し、記録された光学ファインダーの視野に関する情報を取得するようにしてもよい。
画像処理装置は、記録された光学ファインダーの視野に相当する範囲に関する情報を光学ファインダーを備えるカメラへ送信するようにしてもよい。
画像処理装置は、画像の傾きが補正された画像に対しては、切り出しを停止するようにしてもよい。
画像処理装置、およびカメラは、使用者によって画像の表示が指示された場合に画像の切り出しを行い、切り出し後の画像を画面上に表示するようにしてもよい。
カメラは、切り出された画像を記録するようにしてもよい。
カメラは、上記画像処理装置から光学ファインダーの視野に相当する範囲に関する情報を受信し、撮影時に、受信した情報を記録した画像ファイルを生成するようにしてもよい。
【発明の効果】
【０００６】
本発明によれば、光学ファインダーの視野と撮影範囲が一致した画像を得ることができる。
【図面の簡単な説明】
【０００７】
【図１】画像処理装置の一実施の形態の構成を示すブロック図である。
【図２】画像の切り取り範囲を微調整する際に使用する「＊」が印刷された被写体を示す図である。
【図３】光学ファインダーの視野率が１００％である場合に「＊」の中心を光学ファインダーの角に一致させて撮影した画像の具体例を示す図である。
【図４】光学ファインダーの視野率が１００％未満である場合に「＊」の中心を光学ファインダーの角に一致させて撮影した画像の具体例を示す図である。
【図５】４点を結んだ図形に傾きが生じている場合の具体例を示す図である。
【図６】光学ファインダーの視野範囲の特定方法を示す第１の図である。
【図７】光学ファインダーの視野範囲の特定方法を示す第２の図である。
【図８】画像処理装置１００の処理を示すフローチャート図である。
【発明を実施するための形態】
【０００８】
図１は、本実施の形態における画像処理装置の一実施の形態の構成を示すブロック図である。画像処理装置１００は、例えばパソコン（パーソナルコンピュータ）であって、操作部材１０１と、接続ＩＦ（インターフェース）１０２と、制御装置１０３と、ＨＤＤ（ハードディスクドライブ）１０４と、モニタ１０５とを備えている。
【０００９】
操作部材１０１は、使用者によって操作される種々の装置、例えばキーボードやマウスを含む。接続ＩＦ１０２は、デジタルカメラなどの外部装置を接続するためのインターフェースであって、例えばデジタルカメラやビデオカメラと有線接続を行うためのＵＳＢインターフェースや、無線接続を行うための無線ＬＡＮモジュールなどが使用される。本実施の形態では、例えば、この接続ＩＦ１０２を介してデジタルカメラから画像ファイルが取り込まれる。
【００１０】
なお、デジタルカメラから取り込まれる画像ファイルには、ヘッダ情報を記録するためのヘッダ部と、画像データを記録するための画像データ部とが含まれている。ヘッダ部には、画像の撮影日時に関するデータ、画像の撮影時の撮影条件に関するデータ、画像を撮影したカメラの機種を示すデータ（例えば、機種名や機種コード等）、および画像データ部に格納されている画像データに基づいて撮影時に生成された表示用の画像データ（例えば、サムネイル画像データ）等が記録されている。
【００１１】
ＨＤＤ１０４は、接続ＩＦ１０２を介して取り込まれた画像ファイルや、制御装置１０３で実行される種々のプログラム等を記録するための記録装置である。なお、本実施の形態では、ＨＤＤ１０４内には、複数のフォルダが作成されており、接続ＩＦ１０２を介して取り込まれた画像ファイルは、使用者によっていずれか１つのフォルダにまとめて記録されているか、あるいは複数のフォルダに分類して記録されている。
【００１２】
モニタ１０５は、例えば液晶モニタであって、画像処理装置１００であるパソコンとは、所定の接続インターフェースを介して接続されている。モニタ１０５には、制御装置１０３から出力される表示用データを表示される。
【００１３】
制御装置１０３は、ＣＰＵ、メモリ、およびその他の周辺回路によって構成され、画像処理装置１００の全体を制御する。なお、制御装置１０３を構成するメモリには、ＲＡＭやフラッシュメモリが含まれる。ＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０３が実行するプログラムのデータや、プログラム実行時に読み込まれる種々のパラメータなどが記録されている。
【００１４】
本実施の形態では、制御装置１０３は、使用者によって操作部材１０１が操作されて、画像編集アプリケーションの起動が指示された場合には、ＨＤＤ１０４に記録されている
画像編集アプリケーションのプログラムをＲＡＭ上に呼び出して実行する。これによって、使用者は、画像編集アプリケーション上でＨＤＤ１０４に記録されている画像ファイルの画像を閲覧し、さらに画像を編集することができる。
【００１５】
ここで、画像ファイル取得元のデジタルカメラには、光学ファインダーを備えているものがある。このような光学ファインダーを備えたデジタルカメラでは、光学ファインダーの視野率を１００％とすると組み立て調整が困難なため、一部の上級機種を除いては、光学ファインダーの視野率は、実際の撮影範囲に対して縦、横ともに１００％未満、例えば９５％程度となっている。この場合、使用者が光学ファインダーを見ながら厳密に構図を決めて撮影を行っても、実際に得られる画像の撮影範囲は光学ファインダーの視野よりも広い範囲となり、使用者が意図した撮影範囲とは異なる。
【００１６】
本実施の形態では、このような問題を解決するために、制御装置１０３は、画像を撮影したデジタルカメラの光学ファインダーの視野率に応じて、画像の撮影範囲が光学ファインダーの視野と一致するように画像を切り出す。例えば、制御装置１０３は、使用者によって画像編集アプリケーションが起動され、画像の表示が指示されたときに、その画像の画像ファイルのヘッダ部に記録されている機種情報に基づいて、撮影を行ったカメラの光学ファインダーの視野率を特定する。そして、制御装置１０３は、特定した視野率に応じて、画像から光学ファインダーの視野に相当する範囲内の画像を切り出す。
【００１７】
具体的には、光学ファインダーの視野率ごとに、画像内から切り出す範囲を特定するための情報をあらかじめ設定して記録しておく。例えば画像内から切り出す範囲を長方形とし、画像内における長方形の４つの角の座標値を記録しておく。制御装置１０３は、画像を撮影したデジタルカメラの光学ファインダーの視野率に応じた切り出し範囲を特定し、特定した範囲内の画像を切り出すことによって、画像から光学ファインダーの視野と一致する範囲の画像を切り出すことができる。
【００１８】
なお、デジタルカメラの機種に応じた視野率は、あらかじめ設定されてＨＤＤ１０４に記録されているものとする。すなわち、デジタルカメラの機種を特定するための情報、例えば機種名や機種コード等と、そのデジタルカメラの光学ファインダーの視野率とを関連付けてＨＤＤ１０４に記録しておき、制御装置１０３は、この関連付け情報を参照して、画像を撮影したデジタルカメラの視野率を特定する。
【００１９】
また、使用者は、画像編集アプリケーション上で画像の表示を表示したときに画像の切り出し処理を行うか否かを、あらかじめ設定することができる。そして、画像編集アプリケーション上で画像の表示を表示したときに画像の切り出し処理を行わないように設定した場合には、画像表示後に画像の切り出し処理の実行を指示することによって、任意のタイミングで画像の切り出しを行うことができる。
【００２０】
本実施の形態では、デジタルカメラの光学ファインダーで見えていた範囲の中心と、該デジタルカメラで撮影した画像の中心とは必ずしも一致するとは限らないため、使用者は、画像の切り取り範囲を微調整することができる。具体的には、使用者は、あらかじめ図２に示すような「＊」が印刷された紙等を用意する。そして、使用者は、デジタルカメラを使用して、「＊」の中心と光学ファインダーの４つの角のそれぞれとを一致させた状態で撮影を行って４枚の画像を得る。なお、光学ファインダーの角と一致させる指標は「＊」に限定されないが、例えば「＋」、「※」、「Ｘ」など中心を合わせやすい文字や記号が好ましい。
【００２１】
この場合、光学ファインダーの視野率が１００％である場合には、実際に得られる４枚の画像では、画像の角に「＊」が写ることになる。例えば、図３（ａ）に示す「＊」の中心を光学ファインダーの左上の角に一致させて撮影して得た画像、図３（ｂ）に示す「＊」の中心を光学ファインダーの右上の角に一致させて撮影して得た画像、図３（ｃ）に示す「＊」の中心を光学ファインダーの左下の角に一致させて撮影して得た画像、および図３（ｄ）に示す「＊」の中心を光学ファインダーの右下の角に一致させて撮影して得た画像を得ることができる。
【００２２】
これに対して、光学ファインダーの視野率が１００％未満である場合には、実際の撮影範囲は光学ファインダーで見えている撮影範囲よりも広くなるため、例えば、図４（ａ）〜図４（ｄ）に示すような４枚の画像が得られる。使用者は、この図４に示す４枚の画像を画像処理装置１００、すなわちパソコンに取り込んでＨＤＤ１０４に記録しておく。そして、上述した画像編集アプリケーションを起動した後、操作部材１０１を操作してアプリケーションの実行モードを視野位置指定モードに設定することによって、画像の切り取り範囲の微調整を行うことができる。
【００２３】
制御装置１０３は、アプリケーションの実行モードが視野位置指定モードに設定された場合には、ＨＤＤ１０４に記録されている図４に示した４枚の画像を、１枚ずつ順番に画面上に表示する。使用者は、１枚の画像が表示されるごとに、操作部材１０１に含まれるマウスを操作して、画像内の「＊」の中心をクリックする。制御装置１０３は、画像内におけるクリックされた位置の座標値を特定し、特定した座標値のデータをＲＡＭに記録する。この処理を図４に示した４枚の画像について行うことにより、ＲＡＭには、画像内におけるデジタルカメラの光学ファインダーの四隅の座標値を記録することができる。
【００２４】
制御装置１０３は、ＲＡＭに記録した光学ファインダーの四隅の座標値（以下、「４点の座標値」と呼ぶ）を読み出し、読み出した４点の座標値に基づいて、画像内における光学ファインダーの視野範囲を特定する。このとき、光学ファインダーの製造公差等により、この４点を結ぶ図形が必ずしも長方形を成すとは限らない。例えば、図５に示すように、４点を結んだ図形５ａに傾きが生じている可能性がある。このため、制御装置１０３は、以下の方法Ａ、または方法Ｂのいずれかの方法により、画像内における光学ファインダーの視野範囲を特定する。
【００２５】
（方法Ａ）
方法Ａでは、制御装置１０３は、図６に示すように、４点を内包する最小の長方形６ａを画像内における光学ファインダーの視野範囲として特定する。
【００２６】
（方法Ｂ）
方法Ｂでは、制御装置１０３は、図形５ａの傾きを自動的に補正してから画像内における光学ファインダーの視野範囲を特定する。具体的には、制御装置１０３は、画像に対する４点を結ぶ図形の各辺の傾きを算出し、算出した傾きの平均値を光学ファインダーの視野範囲の傾きとして算出する。そして、制御装置１０３は、算出した光学ファインダーの視野範囲の傾きを打ち消す方向に４点を結ぶ図形を回転させて光学ファインダーの視野範囲の傾きを補正する。その後、制御装置１０３は、図７に示すように、補正を行った後の４点を内包する最小の長方形７ａを画像内における光学ファインダーの視野範囲として特定する。
【００２７】
なお、方法Ａと方法Ｂのどちらによって画像内における光学ファインダーの視野範囲を特定するかは、あらかじめ設定されていてもよく、使用者が任意に選択できるようにしてもよい。
【００２８】
制御装置１０３は、上述した方法Ａまたは方法Ｂにより特定した光学ファインダーの視野範囲に関する情報（以下、「光学ファインダーの視野情報」と呼ぶ）をフラッシュメモリまたはＨＤＤ１０４に記録する。そして、制御装置１０３は、使用者によって画像編集アプリケーションが起動され、画像の表示が指示された場合には、記録した光学ファインダーの視野情報に基づいて画像内における光学ファインダーの視野範囲を特定し、画像からこの特定した範囲内の画像を切り出す。
【００２９】
微調整した視野情報は、固体固有情報として、接続ＩＦ１０２を介して接続されたカメラに転送することができ、カメラは撮影時に視野情報を画像ファイルのヘッダ部に記録することができる。この場合は、制御装置１０３は、画像ファイルのヘッダ部に記録されている視野情報に基づいて画像を切り出すことができる。
【００３０】
制御装置１０３は、切り出した画像を画面上に表示する。これによって、使用者は、デジタルカメラの光学ファインダー内の視野範囲と同一の撮影範囲の画像を閲覧することができる。また、制御装置１０３は、使用者による画像保存指示に基づいて、切り出した画像の画像ファイルを生成して、ＨＤＤ１０４に記録する。このとき、制御装置１０３は、あらたに生成した切り出し範囲内の画像の画像ファイルを、元の画像ファイルとは別に保存するようにしてもよいし、新たに生成した画像ファイルで元の画像ファイルを更新するようにしてもよい。
【００３１】
図８は、本実施の形態における画像処理装置１００の処理を示すフローチャートである。図８に示す処理は、使用者によって画像編集アプリケーションの実行が指示されたときに起動するプログラムとして、制御装置１０３により実行される。
【００３２】
ステップＳ１０において、制御装置１０３は、使用者によって操作部材１０１が操作されることにより、画像の表示が指示されたか否かを判断する。ステップＳ１０で否定判断した場合には、後述するステップＳ６０へ進む。これに対して、ステップＳ１０で肯定判断した場合には、ステップＳ２０へ進む。
【００３３】
ステップＳ２０では、制御装置１０３は、上述したように、パソコン上で画像の切り取り範囲が微調整されたことによりフラッシュメモリまたはＨＤＤ１０４内に光学ファインダーの視野情報が記録されているか否かを判断する。ステップＳ２０で肯定判断した場合には、ステップＳ４０へ進み、制御装置１０３は、フラッシュメモリまたはＨＤＤ１０４に記録されている光学ファインダーの視野情報を読み出し、読み出した情報に基づいて、画像内から光学ファインダーの視野と一致する範囲内の画像を切り出す。その後、ステップＳ５０へ進み、制御装置１０３は、切り出した範囲内の画像を画面上に表示して、後述するステップＳ６０へ進む。
【００３４】
これに対して、ステップＳ２０で否定判断した場合には、ステップＳ３０へ進む。ステップＳ３０では、制御装置１０３は、表示対象の画像ファイルのヘッダ部に、光学ファインダーの視野率を示すデータ、または光学ファインダーの視野情報が記録されているか否かを判断する。ステップＳ３０で肯定判断した場合には、ステップＳ４０へ進み、制御装置１０３は、ヘッダ部に記録されている情報を読み出し、読み出した情報に基づいて、画像内から光学ファインダーの視野と一致する範囲内の画像を切り出す。その後、ステップＳ５０へ進み、制御装置１０３は、切り出した範囲内の画像を画面上に表示して、後述するステップＳ６０へ進む。
【００３５】
これに対して、ステップＳ３０で否定判断した場合には、ステップＳ５０へ進み、制御装置１０３は、表示対象の画像をそのまま画面上に表示して、ステップＳ６０へ進む。ステップＳ６０では、制御装置１０３は、使用者によって操作部材１０１が操作されることにより、画像編集アプリケーションの終了が指示されたか否かを判断する。ステップＳ６０で否定判断した場合には、ステップＳ１０へ戻って処理を繰り返す。これに対して、ステップＳ６０で肯定判断した場合には、処理を終了する。
【００３６】
以上説明した本実施の形態によれば、以下のような作用効果を得ることができる。
（１）制御装置１０３は、画像ファイルのヘッダ部に記録されている光学ファインダーの視野に関する情報、すなわちデジタルカメラの機種を示すデータ、または光学ファインダーの視野情報を取得し、取得した情報に基づいて、画像内から光学ファインダーの視野に相当する範囲内の画像を切り出すようにした。これによって、光学ファインダーの視野率が１００％でないために、光学ファインダーの視野の範囲と実際に得られる画像の撮影範囲が異なる場合でも、光学ファインダーの視野の範囲に一致した範囲内の画像を得ることができる。
【００３７】
（２）制御装置１０３は、使用者による光学ファインダーの視野に相当する範囲の微調整を受け付けて、微調整後の光学ファインダーの視野情報をフラッシュメモリまたはＨＤＤ１０４に記録するようにした。そして、制御装置１０３は、光学ファインダーの視野範囲の微調整が行われた場合には、微調整後の光学ファインダーの視野情報に基づいて、画像内から光学ファインダーの視野に相当する範囲内の画像を切り出すようにした。これによって、デジタルカメラの光学ファインダーで見えていた範囲の中心と、デジタルカメラで撮影した画像の中心とが一致していない場合でも、精度高く画像内から光学ファインダーの視野に相当する範囲内の画像を切り出すことができる。
【００３８】
（３）制御装置１０３は、使用者によって画像の表示が指示されたときに、画像内から光学ファインダーの視野範囲に相当する範囲内の画像を切り出すようにした。これによって、使用者は、撮影範囲が光学ファインダーで見えていた範囲と一致する画像を閲覧することができ、違和感なく画像を閲覧することができる。
【００３９】
―変形例―
なお、上述した実施の形態の画像処理装置は、以下のように変形することもできる。
（１）上述した実施の形態では、制御装置１０３は、使用者によって画像編集アプリケーションが起動され、画像の表示が指示されたタイミングで、画像内から光学ファインダーの視野範囲に一致する範囲の画像を切り出す例について説明した。しかしながら、制御装置１０３は、画像の表示が指示されたタイミングでは切り出しを行わず、画像上に切り出し範囲を示す枠を表示するようにしてもよい。そして、使用者から切り出し指示があったタイミングで切り出しを行うようにしてもよい。また、制御装置１０３は、画像の表示が指示されたタイミングで、画像内から光学ファインダーの視野範囲に一致する範囲の画像を切り出すか否かを使用者に問い合わせ、使用者から切り出す旨の指示があったときに切り出しを行うようにしてもよい。また、画像を表示するタイミングで自動的に切り出しを行うか、切り出しを行わないか、あるいは切り出すか否かを使用者に問い合わせるかを、使用者がメニューで設定できるようにしても良い。
【００４０】
（２）上述した実施の形態では、制御装置１０３は、使用者によって画像編集アプリケーションが起動され、画像の表示が指示されたタイミングで、画像内から光学ファインダーの視野範囲に一致する範囲の画像を切り出す例について説明した。しかしながら、制御装置１０３は、使用者によって画像の傾き編集がされた場合には、その画像を表示するタイミングで切り出しを行わないようにしてもよい。これは、傾き編集が行われた画像は、画像が斜めになるため、実質的に使える画像範囲は、斜めになった画像に内接する長方形となり、傾き編集前の画像より狭くなるため、切り出しを行ってさらに画像範囲が狭まることを防ぐためである。
【００４１】
（３）上述した実施の形態では、画像処理装置１００、例えばパソコン上で画像内から光学ファインダーの視野範囲に一致する範囲の画像を切り出す場合について説明した。しかしながら、画像を撮影したデジタルカメラ上で同様の処理を行うようにしてもよい。また、パソコン上で画像の切り取り範囲が微調整された場合には、制御装置１０３は、接続ＩＦ１０２を介してデジタルカメラと接続されたときに、上述した光学ファインダーの視野情報をデジタルカメラに送信する。そして、デジタルカメラは、受信した光学ファインダーの視野情報をフラッシュメモリ等の不揮発性メモリに記録する。そして、デジタルカメラ上で画像が再生されたときに、再生対象の画像内から光学ファインダーの撮影範囲内の画像を切り出してモニタに表示するようにしてもよい。あるいは、再生画像上に光学ファインダーの視野範囲を枠で表示するようにしてもよい。これによって、使用者は、デジタルカメラ上でも光学ファインダーの視野範囲内の画像を確認することができる。
【００４２】
また、デジタルカメラ上で、撮影時に自動的に、あるいは使用者からの指示に基づいて、撮影画像内から光学ファインダーの視野範囲と一致する範囲の画像を切り出して、画像を記録するようにしてもよい。これによって、光学ファインダーの視野範囲と同じ撮影範囲の画像を自動生成して記録することができ、一般的な画像ビューワー等で画像を表示させたときに、光学ファインダーの視野範囲と同じ撮影範囲の画像を表示することができる。
【００４３】
この場合、デジタルカメラでは、撮影を行って画像ファイルを生成したときに、画像ファイルのヘッダ部に光学ファインダーの視野情報を記録するようにしてもよい。そして、これを取り込んだパソコンでは、制御装置１０３は、画像ファイルのヘッダ部に記録されている光学ファインダーの視野情報を読み出して、この光学ファインダーの視野情報に基づいて画像内から光学ファインダーの視野範囲と一致する画像を切り出すようにしてもよい。
【００４４】
（４）上述した実施の形態では、画像処理装置１００としてパソコンを用いる例について説明した。しかしながら、これに限定されず、記憶媒体に記録されている画像を表示することができる他の機器、例えばデジタルカメラ、携帯電話、ＰＤＡなどを画像処理装置１００として用いるようにしてもよい。
【００４５】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４６】
１００  画像処理装置、１０１  操作部材、１０２  接続ＩＦ、１０３  制御装置、１０４  ＨＤＤ、１０５  モニタ
【図１】
2010183245.tif 000003
【図２】
2010183245.tif 000004
【図３】
2010183245.tif 000005
【図４】
2010183245.tif 000006
【図５】
2010183245.tif 000007
【図６】
2010183245.tif 000008
【図７】
2010183245.tif 000009
【図８】
2010183245.tif 000010